(57)【要約】【課題】  複数の流路の一群と他の複数の流路の一群との接続を切り替える装置であって、装置構成が簡単で且つ耐久性に優れた流路の切替装置を提供する。【解決手段】  流路の切替装置は、碁盤目状に配列された上流側接続ポート（３）、および、流体供給側の流路（８１）が接続される供給ポート（２）が上流側操作面（１Ａ）に設けられ、碁盤目状に配列された下流側接続ポート（４）、および、流体受入側の流路（８２）が接続される受入ポート（５）が下流側操作面（１Ｂ）に設けられ、各対応する上流側接続ポート（３）と下流側接続ポート（４）が配管（３４）で連結される。流路の切替は、上流側操作面（１Ａ）にてＸ方向の同一延長線上にある供給ポート（２）と何れかの上流側接続ポート（３）とを連結管（６）で連結し、下流側操作面（１Ｂ）にてＹ方向の同一延長線上にある受入ポート（５）と何れかの下流側接続ポート（４）とを連結管（６）で連結する。【選択図】  図１
2005325859.tif 000002
【特許請求の範囲】
【請求項１】
流体供給側の流路の一群と流体受入側の流路の一群との接続を切り替える流路の切替装置であって、切替操作を行うための上流側操作面および下流側操作面を備え、前記上流側操作面には、碁盤目状に配列され且つ一方向（Ｘ方向）の配列ピッチが一定に設定された複数の上流側接続ポートと、前記一方向（Ｘ方向）に沿った各上流側接続ポート列の一端からこれら上流側接続ポート列の延長線上に一定距離離間して配置され且つそれぞれに前記流体供給側の流路が接続される複数の供給ポートとが設けられ、前記下流側操作面には、前記各上流側接続ポートに対応して碁盤目状に配列され且つ前記一方向（Ｘ方向）に直交する他方向（Ｙ方向）の配列ピッチが一定に設定された複数の下流側接続ポートと、前記他方向（Ｙ方向）に沿った各下流側接続ポート列の一端からこれら下流側接続ポート列の延長線上に一定距離離間して配置され且つそれぞれに前記流体受入側の流路が接続される複数の受入ポートとが設けられ、かつ、前記各上流側接続ポートとこれらに対応する前記各下流側接続ポートとがそれぞれに配管で連結されており、そして、前記上流側操作面においては、前記一方向（Ｘ方向）の同一延長線上にある前記供給ポートと何れかの前記上流側接続ポートとを剛体構造の連結管で連結し、前記下流側操作面においては、前記他方向（Ｙ方向）の同一延長線上にある前記受入ポートと何れかの前記下流側接続ポートとを剛体構造の連結管で連結する様になされていることを特徴とする流路の切替装置。
【請求項２】
供給ポート、上流側接続ポート、受入ポート、下流側接続ポート、および、これらに装着される連結管の端部には、押込み操作によって結合するワンタッチ継手が装着されている請求項１に記載の流路の切替装置。
【請求項３】
各供給ポートの上流側には、洗浄液を供給する洗浄液供給流路が接続されている請求項１又は２に記載の流路の切替装置。
【発明の詳細な説明】
【技術分野】
【０００１】
本発明は、流路の切替装置に関するものであり、詳しくは、複数の流路の一群と他の複数の流路の一群との接続を切り替える流路の切替装置に関するものである。
【背景技術】
【０００２】
食品や化学品の製造プラント等においては、例えば、原料や中間製品などの各種の流体を複数基の貯槽から他の複数基の貯槽へ移送するにあたり、目的に応じて移送先を切り替えたり、混合する流体の種類を受入側の貯槽で変更するため、中間の流路を適宜切り替えることがある。斯かる流路の切替操作においては、多数のバルブによる従来の複雑な切替操作に代え、１つの切替装置によって複数の流路の組合せを一括して変更することにより、配管設備の簡素化および操作性の向上が検討されている。
【０００３】
上記の流路の切替装置としては、例えば、複数の可撓性配管（フレキシブルホース）と他の複数の可撓性配管（フレキシブルホース）を任意に組合せて接続する「可撓性配管自動接続装置」及び「配管自動接続装置」が提案されている。これらの接続装置は、升目状に配列されたセルの各縦方向（Ｙ方向）のセル列に沿って移動する移動体およびこれら移動体に各接続された可撓性配管から成るユニットＡと、升目状に配列されたセルの各横方向（Ｘ方向）のセル列に沿って移動する移動体およびこれら移動体に各接続された可撓性配管から成るユニットＢとを備えている。
【０００４】
上記の接続装置においては、可撓性配管の柔軟性を利用し、ユニットＡの移動体とユニットＢの移動体をそれぞれＹ方向、Ｘ方向に移動させて所定のセルに位置決めし、ユニットＡ，Ｂ間で個々に対峙する移動体の継手同士を接続することにより、ユニットＡの可撓性配管群とユニットＢの可撓性配管群を任意に組み合わせることが出来る。なお、各移動体は、ユニットＡの各縦方向のセル列およびユニットＢの各横方向のセル列にそれぞれ設けられたサーボモーター及びボールねじを含む駆動機構によって移動し、プロセス側の指令信号に基づいて移動位置を制御される様になされている。
【特許文献１】特開平５−２１５３００号公報
【特許文献２】特開平７−２６７２４号公報
【発明の開示】
【発明が解決しようとする課題】
【０００５】
ところで、可撓性配管（フレキシブルホース）は、柔軟な内層チューブを織布や金属網で被覆したものであるが、上記の接続装置においては、各移動体の移動に伴って可撓性配管を頻繁に変形させるため、可撓性配管が破損し易いと言う問題がある。また、食品、医薬、ファインケミカル等の分野では、設備を使用状態のままで洗浄するいわゆる定置洗浄（ＣＩＰ洗浄）を行うが、上記の接続装置は、可撓性配管の内部の平滑性の問題や移動体の継手構造の複雑さから、さほど高い洗浄効果が得られないと言う問題がある。しかも、継手同士を接続するための駆動部の他、移動体を移動させるための上記の様な駆動機構が各セル列毎に必要であり、装置構成が複雑である。
【０００６】
本発明は、上記の実情に鑑みなされたものであり、その目的は、複数の流路の一群と他の複数の流路の一群との接続を切り替える流路の切替装置であって、装置構成が簡単で且つ耐久性に優れ、しかも、定置洗浄によって優れた洗浄効果が得られる流路の切替装置を提供することにある。
【課題を解決するための手段】
【０００７】
上記の課題を解決するため、本発明は、切替操作を行う上流側操作面および下流側操作面を設けると伴に、上流側操作面に対して複数の上流側接続ポートを碁盤目状に配列し且つ下流側操作面に対して複数の下流側接続ポートを碁盤目状に配列し、しかも、各対応する上流側接続ポートと下流側接続ポートとをそれぞれに配管で連結した。更に、上流側操作面には、一方向（Ｘ方向）に並ぶ各上流側接続ポート列に対し、各々、流体供給側の流路に接続された供給ポートを配置し、下流側操作面には、他方向（Ｙ方向）に並ぶ各下流側接続ポート列に対し、各々、流体受入側の流路に接続された受入ポートを配置した。
【０００８】
そして、供給される流体の種類（使用される流体供給側の流路）とその供給先（使用される流体受入側の流路）が決定された場合には、供給ポートと受入ポートを選択すると伴に、選択された供給ポートに対応して一方向（Ｘ方向）に並んだ上流側接続ポートであって、選択された受入ポートに対応して他方向（Ｙ方向）に並んだ何れかの下流側接続ポートに連結された上流側接続ポートを特定した後、選択された供給ポートと特定された上流側接続ポートを剛体構造の連結管で連結し、かつ、選択された受入ポートと特定された下流側接続ポート（特定された上流側接続ポートに連なる下流側接続ポート）を剛体構造の連結管で連結することにより、唯一の流路を構成する様にした。
【発明の効果】
【０００９】
本発明に係る流路の切替装置によれば、装置内部に可動部分がなく、装置構成が極めて簡単であり、かつ、剛体構造の配管を使用して構成できるため、破損や漏れ等がなく、耐久性に優れており、しかも、各供給ポート、上流側接続ポート、受入ポート及び下流側接続ポートを剛体構造の連結管で連結する様になされているため、定置洗浄によっても優れた洗浄効果を得ることが出来る。
【発明を実施するための最良の形態】
【００１０】
本発明に係る流路の切替装置を図面に基づいて説明する。図１は、本発明に係る流路の切替装置の一例の基本構造を示す透視図である。図２は、上流側操作面の上流側接続ポート及び供給ポートの配置を示す流路の切替装置の正面図であり、図３は、下流側操作面の下流側接続ポート及び受入ポートの配置を示す流路の切替装置の背面図である。図４は、供給ポート（受入ポート）と上流側接続ポート（下流側接続ポート）を連結する連結管の構造を示す平面図（側面図）である。図５は、各ポート及び連結管のに装着される継手の一例を示す斜視図である。また、図６は、流路の切替装置の使用態様を示す説明図である。以下、実施形態の説明においては、流路の切替装置を「切替装置」と略記する。
【００１１】
本発明の切替装置は、食品、医薬、ファインケミカル等の分野において、各種の貯槽や機器間の流体移送ラインに使用され、図１に示す様に、複数の流路の一群と他の複数の流路の一群、すなわち、流体供給側の流路（８１）の一群と流体受入側の流路（８２）の一群との接続を切り替える切替装置である。本発明の切替装置は、切替操作を行うための上流側操作面（１Ａ）及び下流側操作面（１Ｂ）を備え、これら操作面において、後述の供給ポート（２）、上流側接続ポート（３）、受入ポート（５）及び下流側接続ポート（４）の選択操作によって流路を決定する様になされている。なお、本発明において、流体供給側の流路（８１）とは、切替装置を基準としてその上流側の流路を言い、流体受入側の流路（８２）とは、切替装置を基準としてその下流側の流路を言う。
【００１２】
本発明の切替装置は、通常、配管ボックスとして作製された本体（１）に必要な配管類を収納し、本体（１）の前面パネル及び背面パネルに対して後述する供給ポート（２）、上流側接続ポート（３）、受入ポート（５）及び下流側接続ポート（４）を配置して構成される。そして、例えば、本体（１）の前面パネルによって上記の上流側操作面（１Ａ）としての上流側操作盤が構成され、背面パネルによって上記の下流側操作面（１Ｂ）としての下流側操作盤が構成される。
【００１３】
なお、本発明において、上流側操作面（１Ａ）及び下流側操作面（１Ｂ）は、上記の各ポートが平面的に配列された仮想平面を含む平面部位であればよく、切替装置は、例えば、枠組構成された架台によって本体（１）が構成され、前記の各ポートの支持ステーを配置した本体（１）の一面側および他面側をそれぞれ上流側操作面（１Ａ）及び下流側操作面（１Ｂ）とされてもよい。以下の説明においては、上流側操作面として上流側操作盤を符号（１Ａ）で示し、下流側操作面として下流側操作盤を符号（１Ｂ）で示す。
【００１４】
図２に示す様に、上記の上流側操作盤（１Ａ）には、碁盤目状に配列され且つ一方向（Ｘ方向）の配列ピッチが一定に設定された複数の上流側接続ポート（３）と、前記の一方向（Ｘ方向）に沿った各上流側接続ポート列の一端からこれら上流側接続ポート列の延長線上に一定距離離間して配置され且つそれぞれに流体供給側の流路（８１）が接続される複数の供給ポート（２）とが設けられる。供給ポート（２）は、流体供給側の流路（８１）を選択するポート（口）であり、上流側接続ポート（３）は、流体受入側の流路（８２）を選択するポート（口）である。
【００１５】
上流側接続ポート（３）は、流体供給用の貯槽や機器から伸長された流体供給側の流路（８１）の数、および、流体受入用の貯槽や機器に至る流体受入側の流路（８２）の数に応じて設けられる。例えば、図示する様に、流体供給側の流路（８１）及び流体受入側の流路（８２）がそれぞれ４ラインある場合、上流側接続ポート（３）は、碁盤目状に１６個配列される。そして、例えば、一方向（Ｘ方向）を水平方向とした場合、水平方向における上流側接続ポート（３）の配列ピッチを一定に設定される。なお、通常は、上下方向における上流側接続ポート（３）の配列ピッチも一定に設定される。
【００１６】
供給ポート（２）は、上記の様に水平方向（Ｘ方向）に沿った各上流側接続ポート列（水平に並ぶ各上流側接続ポート（３）の列）の一端（例えば左端）から水平方向（Ｘ方向）に一定距離だけ離間して配置される。図に例示した装置においては、水平方向（Ｘ方向）の上流側接続ポート列が４段設けられており、各上流側接続ポート列に対応して供給ポート（２）が上下方向に４個配置されている。そして、これら供給ポート（２）には、各々、流体供給側の流路（８１）の末端が接続される。
【００１７】
一方、図３に示す様に、上記の下流側操作盤（下流側操作面）（１Ｂ）には、各上流側接続ポート（３）に対応して碁盤目状に配列され且つ上記の一方向（Ｘ方向）に直交する他方向（Ｙ方向）の配列ピッチが一定に設定された複数の下流側接続ポート（４）と、前記の他方向（Ｙ方向）に沿った各下流側接続ポート列の一端からこれら下流側接続ポート列の延長線上に一定距離離間して配置され且つそれぞれに流体受入側の流路（８２）が接続される複数の受入ポート（５）とが設けられる。受入ポート（５）は、流体受入側の流路（８２）を選択するポート（口）であり、下流側接続ポート（４）は、前述の流体供給側の流路（８１）を選択するポート（口）である。
【００１８】
下流側接続ポート（４）は、前述の上流側接続ポート（３）の場合と同様に、流体供給側の流路（８１）の数および流体受入側の流路（８２）の数に応じて設けられる。図に例示する様に、流体供給側の流路（８１）及び流体受入側の流路（８２）が各４ラインある場合、下流側接続ポート（４）は、上流側接続ポート（３）と同様に、碁盤目状に１６個配列される。そして、例えば、上記の一方向（Ｘ方向）に対して他方向（Ｙ方向）を垂直方向とした場合、垂直方向における下流側接続ポート（４）の配列ピッチを一定に設定される。なお、通常は、水平方向における下流側接続ポート（４）の配列ピッチも一定に設定される。
【００１９】
受入ポート（５）は、上記の様に垂直方向（Ｙ方向）に沿った各下流側接続ポート列（垂直に並ぶ各下流側接続ポート（４）の列）の一端（例えば上端）から垂直方向（Ｙ方向）に一定距離だけ離間して配置される。図に例示した装置においては、垂直方向（Ｙ方向）の下流側接続ポート列が４列設けられており、各下流側接続ポート列に対応して受入ポート（５）が水平方向に４個配置されている。そして、これら受入ポート（５）には、各々、流体受入側の流路（８２）の末端が接続される。
【００２０】
本発明の切替装置においては、図１に示す様に、各上流側接続ポート（３）とこれらに対応する各下流側接続ポート（４）とがそれぞれに配管（３４）で連結される。具体的には、上記の様に、上流側操作盤（１Ａ）に上流側接続ポート（３）及び供給ポート（２）が配置され、下流側操作盤（１Ｂ）に下流側接続ポート（４）及び受入ポート（５）が配置され、配管ボックスである本体（１）の内部に上流側接続ポート（３）と下流側接続ポート（４）を連結する配管（３４）が収納される。すなわち、各上流側接続ポート（３）と各下流側接続ポート（４）とは、それぞれに連通した一対一の対応関係にある。
【００２１】
本発明の切替装置においては、上流側操作盤（上流側操作面）（１Ａ）において、水平方向（Ｘ方向）の同一延長線上にある供給ポート（２）と何れかの上流側接続ポート（３）とを所定長さの剛体構造の連結管（６）で連結し、下流側操作盤（下流側操作面）（１Ｂ）において、垂直方向（Ｙ方向）の同一延長線上にある受入ポート（５）と何れかの下流側接続ポート（４）とを所定長さの剛体構造の連結管（６）で連結する様になされている。
【００２２】
連結管（６）は、供給ポート（２）と上流側接続ポート（３）、ならびに、受入ポート（５）と下流側接続ポート（４）をそれぞれ連結し得る管であれば特に形状は限定されないが、斯かる連結管（６）としては、例えば、両端が同一方向に直角に折曲された略扁平なコ字状の管が使用される。連結管（６）の長さ、換言すれば、連結管（６）の両端間の長さは、上流側操作盤（１Ａ）に適用するものについては水平方向（Ｘ方向）に沿った供給ポート（２）と各上流側接続ポート（３）との距離に相当する長さとされ、下流側操作盤（１Ｂ）に適用するものについては垂直方向（Ｙ方向）に沿った受入ポート（５）と各下流側接続ポート（４）との距離に相当する長さとされる。
【００２３】
すなわち、図示する装置においては、上流側操作盤（１Ａ）に適用する連結管（６）として、供給ポート（２）と端部の上流側接続ポート（３）（左端のポート）を繋ぐ管、供給ポート（２）と２番目の上流側接続ポート（３）を繋ぐ管、供給ポート（２）と３番目の上流側接続ポート（３）を繋ぐ管、供給ポート（２）と４番目の上流側接続ポート（３）（右端のポート）を繋ぐ管の４種類が準備される。そして、下流側操作盤（１Ｂ）に適用する連結管（６）として、受入ポート（５）と端部の下流側接続ポート（４）（上端のポート）を繋ぐ管、受入ポート（５）と２番目の下流側接続ポート（４）を繋ぐ管、受入ポート（５）と３番目の下流側接続ポート（４）を繋ぐ管、受入ポート（５）と４番目の下流側接続ポート（４）（下端のポート）を繋ぐ管の４種類が準備される。
【００２４】
ところで、本発明の切替装置においては、操作性を向上させるため、上流側操作盤（１Ａ）及び下流側操作盤（１Ｂ）において上記の連結管（６）を即座に着脱する様になされているのが好ましい。そこで、図４に示す様に、本発明の切替装置において、供給ポート（２）、上流側接続ポート（３）、受入ポート（５）、下流側接続ポート（４）、および、これらに装着される連結管（６）の端部には、継手として、押込み操作によって結合する所謂ワンタッチ継手（７）が装着される。
【００２５】
上記のワンタッチ継手（７）としては、簡単な操作で着脱できる各種の構造の継手を使用できるが、特に、１回の押込み操作によって結合可能な継手が好ましい。斯かるワンタッチ継手（７）は、例えば、特開平９−１１９５７７号公報に「ホースの結合金具」として、特開平９−２８０４５３号公報に「ホースの結合金具」として、また、特開２００２−３２７８８４号公報に「配管類の結合金具」としてそれぞれ開示されている。
【００２６】
上記のワンタッチ継手（７）は、図５に示す様に、同一の構造および寸法仕様に設計されたワンタッチ継手と結合可能に構成されており、配管端部に取り付けられ且つ先端にシール材が付設された円筒状のライナー（７ａ）と、当該ライナーの外周に回転自在かつ前後移動自在に装着された円環状の継手本体（ジョイント）（７ｂ）とから成る。継手本体（７ｂ）は、その周方向に沿って略台形状の複数（例えば６つ）の凸部（７１）を配置し、当該凸部の間に略逆台形状の複数（例えば６つ）の凹部（７２）を配置した形状を備え、緩い凹凸嵌合によって他方の継手本体（７ｂ）と噛合う様に構成される。そして、継手本体（７ｂ）の厚み部分に相当する各凸部（７１）の一方の傾斜面（係合面）には、カギ爪状に切り欠かれた形状の係合部（７３）が設けられ、継手本体（７ｂ）の厚み部分に相当する各凸部（７１）の他方の傾斜面には、内蔵されたバネによってボールを常時突出する状態に付勢して成るボールプランジャー（７４）が設けられる。
【００２７】
上記のワンタッチ継手（７）は、他方の継手（７）に押し付けることにより、ライナー（７ａ）同士が先端のシール材によって気密に当接し、継手本体（７ｂ）同士が凹部（７２）及び凸部（７１）によって噛合する。そして、継手本体（７ｂ）同士が噛合した際、ボールプランジャー（７４）は、相手側の継手本体（７ｂ）を周方向において離間させる方向に加圧し、これにより、互いに掛止される双方の継手本体（７ｂ）の係合部（７３）の爪は、軸方向に各継手本体（７ｂ）が離間するのを規制する。
【００２８】
また、互いに結合した継手本体（７ｂ）は、ボールプランジャー（７４）に対抗する方向に捻ることにより、係合部（７３）が解除され、かつ、凹部（７２）と凸部（７１）の形状およびボールプランジャー（７４）の反発力により、これら継手本体（７ｂ）を軸方向に離間させる。すなわち、上記のワンタッチ継手（７）は、継手本体（７ｂ）同士を軸方向に押し込むだけで結合し、また、継手本体（７ｂ）同士を互いに逆方向へ僅かに回動させるだけで外すことが出来る。なお、図５中の符号（７５）は、結合したワンタッチ継手（７）を外す際、継手本体（７ｂ）を回動させるのに使用されるレバーを示す。
【００２９】
また、本発明の切替装置においては、定置洗浄を随時行える様に、図１〜図３に示す様に、各供給ポート（２）の上流側には、洗浄液を供給する洗浄液供給流路（８５）が接続されていてもよい。具体的には、各流体供給側の流路（８１）には、切替弁（８３）を介して洗浄液供給流路（８５）が接続されており、切替弁（８３）の操作により、各供給ポート（２）、上流側接続ポート（３）、上流側接続ポート（３）と下流側接続ポート（４）を繋ぐ配管（３４）、下流側接続ポート（４）及び受入ポート（５）に対し、定置洗浄装置（図示省略）から供給するアルカリ性洗浄剤、酸性洗浄剤などの各種洗浄液を順次に流通させる様になされている。
【００３０】
また、上記の様な洗浄液供給流路（８５）が設けられている場合、通常、各受入ポート（５）の下流側には、装置内に流通させた洗浄液を回収する洗浄液回収流路（８６）が設けられる。洗浄液回収流路（８６）は、切替弁（８４）を介して流体受入側の流路（８２）に接続され、切替弁（８４）の操作により、定置洗浄装置側へ洗浄液を回収する様になされている。
【００３１】
本発明に係る切替装置の使用態様は次の通りである。すなわち、供給される流体の種類（使用される流体供給側の流路（８１））とその供給先（使用される流体受入側の流路（８２））が決定された場合には、先ず、使用される流体供給側の流路（８１）及び流体受入側の流路（８２）に対応する供給ポート（２）と受入ポート（５）を選択する。具体的に１つのラインを挙げて説明すると、例えば、図２中に最上段に示した流体供給側の流路（８１）から図３中に左端に示した流体受入側の流路（８２）へ流体を流す場合は、図２に示す上流側操作盤（１Ａ）において最上段の供給ポート（２）が選択され、図３に示す下流側操作盤（１Ｂ）において左端の受入ポート（５）が選択される。
【００３２】
また、選択された図２に示す最上段の供給ポート（２）に対応して最上段の水平方向（Ｘ方向）に並んだ上流側接続ポート（３）のうち、選択された図３に示す左端の受入ポート（５）に対応して垂直方向（Ｙ方向）に並んだ何れかの下流側接続ポート（４）、この場合は上端の下流側接続ポート（４）に連結された上流側接続ポート（３）（図２において上段右端の上流側接続ポート）を特定する。図１において示すならば、選択された最上段の供給ポート（２）に対応する上流側接続ポート（３）であって、選択された右端の受入ポート（５）に対応する下流側接続ポート（４）に配管（３４）で連結された上流側接続ポート（３）を選択する。要するに、供給ポート（２）及び受入ポート（５）の選択により、使用する上流側接続ポート（３）と下流側接続ポート（４）が同時に特定される。
【００３３】
そこで、上流側操作盤（１Ａ）において、選択された供給ポート（２）と特定された上流側接続ポート（３）を連結管（６）で連結する。例示した装置の場合、図１及び図２に示す様に、最も長い連結管（６）で供給ポート（２）と上流側接続ポート（３）を連結する。一方、下流側操作盤（１Ｂ）において、選択された受入ポート（５）と特定された下流側接続ポート（４）（特定された上流側接続ポート（３）に連なる下流側接続ポート（４））を連結管（６）で連結する。例示した装置の場合、図１及び図３に示す様に、最も短い連結管（６）で受入ポート（５）と下流側接続ポート（４）を連結する。本発明の切替装置においては、上記の様な連結操作を行うことにより、最上段の流体供給側の流路（８１）から右端の流体受入側の流路（８２）へ至る唯一の流路を構成することが出来る。
【００３４】
すなわち、本発明の切替装置は、供給ポート（２）と受入ポート（５）を自由に組み合わせることが出来、そして、上記の様に、供給ポート（２）と受入ポート（５）を選択した場合には、唯一の上流側接続ポート（３）及び下流側接続ポート（４）を特定でき、選択された供給ポート（２）と特定された上流側接続ポート（３）を連結管（６）で連結し且つ選択された受入ポート（５）と特定された下流側接続ポート（４）を連結管（６）で連結することにより、唯一の流路を構成することが出来る。換言すれば、本発明の切替装置は、上流側操作盤（１Ａ）における連結管（６）の連結操作と下流側操作盤（１Ｂ）における連結管（６）の連結操作により、一群の流体供給側の流路（８１）から一群の流体受入側の流路（８２）へ至る流路を自由に切り替えることが出来る。
【００３５】
また、本発明の切替装置において、供給ポート（２）、上流側接続ポート（３）、受入ポート（５）、下流側接続ポート（４）、および、これらに装着される連結管（６）の端部にワンタッチ継手（７）が装着されている場合には、供給ポート（２）と上流側接続ポート（３）を連結管（６）で連結する際、ならびに、受入ポート（５）と下流側接続ポート（４）を連結管（６）で連結する際、連結管（６）を押し付ける操作だけでそれぞれ連結でき、操作性を一層向上することが出来る。
【００３６】
本発明の切替装置は、上記の連結管（６）を手動によって操作することも出来、また、図６に示す様に、例えばロボットアームを使用して自動操作することも出来る。本発明の切替装置を自動操作する場合には、例えば、上流側操作盤（１Ａ）及び下流側操作盤（１Ｂ）の各手前側の領域にそれぞれ第１のロボットアーム（９１）と第２のロボットアーム（９２）が設置される。第１のロボットアーム（９１）は、連結管（６）を保持するアーム装置であり、第２のロボットアーム（９２）は、第１のロボットアーム（９１）で保持した連結管（６）の端部のワンタッチ継手（７）に対し、その結合を解除する際に前述のレバー（７５）を操作するフィンガー付のアーム装置である。上記の様な第１及び第２のロボットアーム（９１）、（９２）は、別途設けられた制御装置のプログラミングにより、前述した連結管（６）の取付操作および取外操作を行う様に構成される。
【００３７】
上記の様に、本発明の切替装置は、装置内部に可動部分がなく、換言すれば、制御弁、移動体、可撓性配管（フレキシブルホース）等がなく、装置構成が極めて簡単であり、かつ、剛体構造の配管（３４）やワンタッチ継手（７）を使用して構成できるため、破損や漏れ等がなく、耐久性に優れている。しかも、各供給ポート（２）、上流側接続ポート（３）、受入ポート（５）及び下流側接続ポート（４）を剛体構造の連結管（６）で連結する様になされおり、上流側接続ポート（３）と下流側接続ポート（４）を繋ぐ配管（３４）及び連結管（６）の内面の平滑度を高めることが出来るため、定置洗浄を行った場合も、液溜まりがなく、優れた洗浄効果を奏することが出来る。
【００３８】
なお、本発明の切替装置において、上流側操作盤（上流側操作面）（１Ａ）と下流側操作盤（下流側操作面）（１Ｂ）は、上流側接続ポート（３）と下流側接続ポート（４）を繋ぐ配管（３４）として湾曲または屈曲した配管を使用することにより、本体（１）の一面側に並列に配置されてもよい。
【図面の簡単な説明】
【００３９】
【図１】本発明に係る流路の切替装置の一例の基本構造を示す透視図である。
【図２】上流側操作面の上流側接続ポート及び供給ポートの配置を示す流路の切替装置の正面図である。
【図３】下流側操作面の下流側接続ポート及び受入ポートの配置を示す流路の切替装置の背面図である。
【図４】供給ポート（受入ポート）と上流側接続ポート（下流側接続ポート）を連結する連結管の構造を示す平面図（側面図）である。
【図５】各ポート及び連結管のに装着される継手の一例を示す斜視図である。
【図６】流路の切替装置の使用態様を示す説明図である。
【符号の説明】
【００４０】
１Ａ：上流側操作盤（上流側操作面）
１Ｂ：下流側操作盤（下流側操作面）
８１：流体供給側の流路
８２：流体受入側の流路
３  ：上流側接続ポート
３４：配管
２  ：供給ポート
４  ：下流側接続ポート
５  ：受入ポート
６  ：連結管
７  ：ワンタッチ継手
８５：洗浄液供給流路
８６：洗浄液回収流路
【図１】
2005325859.tif 000003
【図２】
2005325859.tif 000004
【図３】
2005325859.tif 000005
【図４】
2005325859.tif 000006
【図５】
2005325859.tif 000007
【図６】
2005325859.tif 000008